(57)【要約】【課題】鉄筋を仕口部の上から仕口部に貫通させることなく、仕口部と柱とを接合できるようにする。【解決手段】高架橋のラーメン構造を構築する方法は、柱２０Ａ，２０Ｂを橋幅方向に間隔を置いて立設する工程と、ＰＣ部材３１Ａ，３２，３１Ｂを橋幅方向に配列するよう柱２０Ａ，２０Ｂの上方に揚重し、ＰＣ部材３１Ａ，３２，３１Ｂを接続することによって、柱２０Ａ，２０Ｂに対応する仕口部４０とそれら仕口部４０を接続する横梁３０とを有する接続体を形成し、接続体の仕口部４０，４０を柱２０Ａ，２０Ｂの上方に配置し、接続体の横梁３０を柱２０Ａ，２０Ｂの上方の柱２０Ａ，２０Ｂ間に配置する接続工程と、その後に、接続体を下降させて、仕口部４０，４０の下端部と柱２０Ａ，２０Ｂの上端部のうち一方から突出した主筋３１ｃを他方に設けられたスリーブ継手２３に挿入する下降工程と、を備える。【選択図】図７
2018021394.tif 000002
【特許請求の範囲】
【請求項１】
高架橋のラーメン構造を構築する方法において、
複数本の柱を間隔を置いて立設する工程と、
複数のプレキャストコンクリート部材を前記柱の配列方向に配列するよう前記柱の上方に揚重し、前記プレキャストコンクリート部材を接続することによって、前記柱に対応する複数の仕口部とそれら仕口部を接続する横梁とを有する接続体を形成し、前記接続体の仕口部を前記柱の上方に配置し、前記接続体の横梁を前記柱の上方の前記柱間に配置する接続工程と、
前記接続工程を行った後に、前記接続体を下降させて、前記仕口部の下端部と前記柱の上端部のうち一方から突出した主筋を他方に設けられたスリーブ継手に挿入する下降工程と、を備えることを特徴とするラーメン構造の構築方法。
【請求項２】
前記接続工程では、前記柱の側面に設置された基台上に駒台を複数段に設置するとともに、架台を前記柱間に掛け渡すように前記駒台上に設置した上で、前記接続体を前記架台上に設置し、
前記下降工程では、前記基台上に設置したジャッキによって前記架台及び前記接続体を支持した状態で、前記駒台を一段ずつ取り外しながら前記ジャッキにより前記架台及び前記接続体を下降させることを特徴とする請求項１に記載のラーメン構造の構築方法。
【請求項３】
前記柱の数が２本であり、
前記プレキャストコンクリート部材のうち両側の第一プレキャストコンクリート部材は、前記仕口部と、前記仕口部から延出した梁部とを有し、
前記接続工程では、前記プレキャストコンクリート部材のうち前記第一プレキャストコンクリート部材の間の第二プレキャストコンクリート部材を前記梁部間に接続することを特徴とする請求項１又は２に記載のラーメン構造の構築方法。
【請求項４】
前記柱の数が２本であり、前記プレキャストコンクリート部材の数が２体であり、前記プレキャストコンクリート部材は、前記仕口部と、前記仕口部から延出した梁部とを有し、
前記接続工程では、前記プレキャストコンクリート部材の前記梁部同士を接続することを特徴とする請求項１又は２に記載のラーメン構造の構築方法。
【請求項５】
前記下降工程後に、前記スリーブ継手にグラウトを充填するとともに、前記仕口部の下端面と前記柱の上端面との間にグラウトを充填するグラウト充填工程を更に備える請求項１から４の何れか一項に記載のラーメン構造の構築方法。
【発明の詳細な説明】
【技術分野】
【０００１】
本発明は、ラーメン構造を構築する方法に関する。
【背景技術】
【０００２】
特許文献１には、隣り合う柱の上端部間に梁をプレキャスト工法により構築する技術が開示されている。以下、特許文献１で用いられた符号を括弧書きで表記し、特許文献１に記載の技術について簡単に説明する。
特許文献１に記載の方法では、まず、ＰＣ柱（４−１）の上部に仕口パネル部材（３）を設置し、鉄筋（４ａ）を仕口パネル部材（３）の上から仕口パネル部材（３）に貫通させて、鉄筋（４ａ）の下部をＰＣ柱（４−１）の上部の柱主筋用継手（４ｃ）に定着する。これにより、ＰＣ柱（４−１）と仕口パネル部材（３）を接合する。
次に、ＰＣ梁（１）をその一端が仕口パネル部材（３）の側面に向くように横方向に移動させ、ＰＣ梁（１）の一端から突出する梁主筋（１ａ）を仕口パネル部材（３）の側面の梁主筋孔（３ａ）に挿入する。
次に、隣りの仕口パネル部材（３）の側面をＰＣ梁（１）の他端に向けて横方向に移動させ、仕口パネル部材（３）を隣りのＰＣ柱（４−２）の上部に設置する。そして、鉄筋（４ａ）を仕口パネル部材（３）の上方から下方へ貫通させて、鉄筋（４ａ）の下部をＰＣ柱（４−２）の上部の柱主筋用継手（４ｃ）に定着する。これにより、ＰＣ柱（４−２）と仕口パネル部材（３）を接合する。
【先行技術文献】
【特許文献】
【０００３】
【特許文献１】特開２００４−２７８２５７号公報
【発明の概要】
【発明が解決しようとする課題】
【０００４】
ところで、特許文献１に記載の技術を鉄道等の高架橋のラーメン構造の構築に適用することが考えられる。しかし、高架橋においては、地震時等に仕口パネル部材（３）の表層部分の被りコンクリートが脱落するのを防止するべく、仕口パネル部材（３）とＰＣ柱（４）とを接続する鉄筋（４ａ）の上端部をＵ字型のフック状にする必要がある。このように鉄筋（４ａ）の上端部をＵ字型とすると、仕口パネル部材（３）の上に配筋される他の鉄筋（例えばスラブ筋、梁主筋等）に干渉して、仕口パネル部材（３）の上方から鉄筋（４ａ）を挿入することができない。従って、仕口パネル部材（３）の作製時に予め鉄筋（４ａ）を設けておく必要があり、特許文献１に記載の技術をそのまま高架橋のラーメン構造の構築に応用することができない。
【０００５】
本発明は、上記事情に鑑みてなされたものであり、本発明が解決しようとする課題は、高架橋のラーメン構造を構築するにあたり、鉄筋を仕口部にその上方から貫通させることなく、仕口部と柱とを接合できるようにすることである。
【課題を解決するための手段】
【０００６】
以上の課題を解決するための発明は、高架橋のラーメン構造を構築する方法において、複数本の柱を間隔を置いて立設する工程と、複数のプレキャストコンクリート部材を前記柱の配列方向に配列するよう前記柱の上方に揚重し、前記プレキャストコンクリート部材を接続することによって、前記柱に対応する複数の仕口部とそれら仕口部を接続する横梁とを有する接続体を形成し、前記接続体の仕口部を前記柱の上方に配置し、前記接続体の横梁を前記柱の上方の前記柱間に配置する接続工程と、前記接続工程を行った後に、前記接続体を下降させて、前記仕口部の下端部と前記柱の上端部のうち一方から突出した主筋を他方に設けられたスリーブ継手に挿入する下降工程と、を備えることを特徴とするラーメン構造の構築方法ある。
【０００７】
以上の発明によれば、複数のプレキャストコンクリート部材を柱の上方に揚重するので、これらプレキャストコンクリート部材を接続する際に、仕口部の下端部と柱の上端部とのうち一方から延出した主筋が他方に干渉しないようにすることできる。つまり、その主筋が仕口部又は柱に予め設けられた状態でも、複数のプレキャストコンクリート部材を接続することができる。そして、その後の下降工程でプレキャストコンクリート部材の接続体を下降させて、主筋をスリーブ継手に挿入するので、柱の上への仕口部の設置後に鉄筋を仕口部の上から仕口部に貫通させる作業を必要としない。
【０００８】
好ましくは、前記接続工程では、前記柱の側面に設置された基台上に駒台を複数段に設置するとともに、架台を前記柱間に掛け渡すように前記駒台上に設置した上で、前記接続体を前記架台上に設置し、前記下降工程では、前記基台上に設置したジャッキによって前記架台及び前記接続体を支持した状態で、前記駒台を一段ずつ取り外しながら前記ジャッキにより前記架台及び前記接続体を下降させる。
【０００９】
以上によれば、架台を柱間に掛け渡すように駒台上に設置したので、複数のプレキャストコンクリート部材をクレーン等の揚重機によって順次揚重して、架台に設置することができる。また、プレキャストコンクリート部材を架台で支持しながら、プレキャストコンクリート部材を接続することができる。よって、揚重機の最大揚重能力が低くても済む。
駒台を一段ずつ取り外しながらジャッキにより架台及びプレキャストコンクリート部材の接続体を下降させるので、プレキャストコンクリート部材の接続体の姿勢が安定し、主筋をスリーブ継手にしやすい。
【００１０】
好ましくは、前記柱の数が２本であり、前記プレキャストコンクリート部材のうち両側の第一プレキャストコンクリート部材は、前記仕口部と、前記仕口部から延出した梁部とを有し、前記接続工程では、前記プレキャストコンクリート部材のうち前記第一プレキャストコンクリート部材の間の第二プレキャストコンクリート部材を前記梁部間に接続する。
【００１１】
好ましくは、前記柱の数が２本であり、前記プレキャストコンクリート部材の数が２体であり、前記プレキャストコンクリート部材は、前記仕口部と、前記仕口部から延出した梁部とを有し、前記接続工程では、前記プレキャストコンクリート部材の前記梁部同士を接続する。
【００１２】
好ましくは、前記構築方法は、前記下降工程後に、前記スリーブ継手にグラウトを充填するとともに、前記仕口部の下端面と前記柱の上端面との間にグラウトを充填するグラウト充填工程を更に備える。
【発明の効果】
【００１３】
本発明によれば、鉄筋を仕口部の上から仕口部に貫通させることなく、仕口部と柱を接合できる。
【図面の簡単な説明】
【００１４】
【図１】図１は、高架橋のラーメン構造の斜視図である。
【図２】図２は、ラーメン構造の構築方法の一工程を示した斜視図である。
【図３】図３は、図２に示す工程の後の工程を説明するため斜視図である。
【図４】図４は、図３に示す工程の後の工程を説明するため斜視図である。
【図５】図５は、図３及び図４に示す工程の中の一工程を説明するための正面図である。
【図６】図６は、図５に示す矢印Ａの方向に見て示した拡大側面図である。
【図７】図７は、図５に示す工程の後の工程を説明するための正面図である。
【図８】図８は、図７に示す矢印Ａの方向に見て示した拡大側面図である。
【図９】図９は、図７に示す工程の後の工程を説明するための正面図である。
【図１０】図１０は、図４や図９に示す工程の後の工程を説明するための斜視図である。
【図１１】図１１は、図１０に示す工程の中の一工程を示した拡大側面図である。
【図１２】図１２は、図１１に示す工程の後の工程を説明するための正面図である。
【図１３】図１３は、図１２に示す矢印Ａの方向に見て示した拡大側面図である。
【図１４】図１４は、図１２に示す工程の後の工程を説明するための正面図である。
【図１５】図１５は、図１４に示す矢印Ａの方向に見て示した拡大側面図である。
【図１６】図１６は、図１４に示す工程の後の工程を説明するための正面図である。
【図１７】図１７は、図１６に示す矢印Ａの方向に見て示した拡大側面図である。
【図１８】図１８は、図１６に示す工程の後の工程を説明するための正面図である。
【図１９】図１９は、図１８に示す矢印Ａの方向に見て示した拡大側面図である。
【図２０】図２０は、図１８に示す工程の後の工程を説明するための正面図である。
【図２１】図２１は、図１０や図２０に示す工程の後の工程を説明するための斜視図である。
【図２２】図２２は、図２１に示す工程の後の工程を説明するための斜視図である。
【図２３】図２３は、図２２に示す工程の後の工程を説明するための斜視図である。
【図２４】図２４は、図２３に示す工程の後の工程を説明するための斜視図である。
【図２５】図２５は、図２４に示す工程の後の工程を説明するための斜視図である。
【図２６】図２６は、図２５に示す工程の後の工程を説明するための斜視図である。
【図２７】図２７は、図２６に示す工程の後の工程を説明するための斜視図である。
【図２８】図２８は、変形例に係るラーメン構造の構築方法の一工程における柱上部を示した正面拡大図である。
【図２９】図２９は、別の変形例に係るラーメン構造を示した正面図である。
【図３０】図３０は、図２９に示すラーメン構造の構築方法の一工程を示した正面図である。
【図３１】図３１は、別の変形例に係るラーメン構造の構築方法の一工程を示した正面図である。
【図３２】図３２は、別の変形例に係るラーメン構造の構築方法の一工程を示した正面図である。
【図３３】図３３は、別の変形例に係るラーメン構造の構築方法の一工程を示した正面図である。
【図３４】図３４は、一対の仕口部及び横梁を有する接続体の構成要素となるプレキャストコンクリート部材の各種の形態を示した概略図正面図である。
【発明を実施するための形態】
【００１５】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１６】
１．  鉄道高架橋のラーメン構造の構成
図１は、鉄道高架橋のラーメン構造１の一部分を示した斜視図である。このラーメン構造は、プレキャスト工法により構築されたものである。
【００１７】
図１に示すように、ラーメン構造１は、橋軸方向に所定間隔を置いて配列された複数の門形ラーメン構造５，５…と、最前列のラーメン構造５から橋軸方向に所定間隔を置いて配置された門形ラーメン構造２と、門形ラーメン構造２，５，５…の隣り同士の間に架設された縦梁８とを備える。門形ラーメン構造２は、ラーメン構造１の橋軸方向端部に設けられる門形ラーメン構造である。
【００１８】
門形ラーメン構造２は、橋幅方向に間隔を置いた状態で地中の基礎上に立設された２本の柱２０，２０と、これら柱２０，２０の上端間に架設された横梁３０と、を有する。門形ラーメン構造５も同様に、橋幅方向に間隔を置いた状態で地中の基礎上に立設された２本の柱５０，５０と、これら柱５０，５０の上端間に架設された横梁６０と、を有する。
【００１９】
門形ラーメン構造２とその隣りの門形ラーメン構造５との間には２本の縦梁８が設けられている。具体的には、これら縦梁８は、柱２０と横梁３０の仕口部４０と、柱５０と横梁６０の仕口部７０との間に架設されている。
隣合う門形ラーメン構造５，５の間にも２本の縦梁８が設けられている。具体的には、これら縦梁８は、隣り合う門形ラーメン構造５の仕口部７０の間に架設されている。
従って、柱２０，５０，５０…が橋軸方向に所定間隔を置いた状態で２列に配列され、縦梁８が柱２０，５０，５０…の橋軸方向隣り同士の上端間に架設されていることになる。
仕口部４０，７０の上面には、複数の鉄筋が突出しており、これら鉄筋の突き出た部分は、Ｕ字型に折り返されてフック状に設けられている。
なお、縦梁８、横梁３０及び横梁６０によって囲まれた領域を塞ぐように、スラブが縦梁８、横梁３０、横梁６０、仕口部４０及び仕口部７０上に設けられる。
【００２０】
２．  鉄道高架橋のラーメン構造の構築方法
以下に、ラーメン構造１の構築方法について説明する。
【００２１】
（１）門形ラーメン構造２，５の柱２０，５０の施工工程
図２に示すように、門形ラーメン構造２の柱２０，２０を組み立てる。具体的には、柱用プレキャストコンクリート部材（以下、「プレキャストコンクリート」を「ＰＣ」と略記する。）２１の下端を基礎に接合し、柱用ＰＣ部材２１の上端に柱用ＰＣ部材２２の下端を接合する。
ここで、柱用ＰＣ部材２２の下端面から複数の主筋が突出している。一方、柱用ＰＣ部材２１の上端部には、柱用ＰＣ部材２１の主筋に接続された筒状のスリーブ継手が埋設されており、柱用ＰＣ部材２２の下端面から突出する主筋を柱用ＰＣ部材２１のスリーブ継手に挿入した上で、スリーブ継手の内部にグラウトを充填するとともに、柱用ＰＣ部材２１の上端面と柱用ＰＣ部材２２の下端面との間の隙間にグラウトを充填する。そして、柱用ＰＣ部材２１のスリーブ継手に充填されたグラウトが硬化することによって、柱用ＰＣ部材２１、２２が接合される。
【００２２】
門形ラーメン構造５の柱５０，５０も、門形ラーメン構造２の柱２０と同様に、柱用ＰＣ部材５１，５２を接合することにより構築されている。
これら柱２０，５０，５０…の施工は、例えば、橋軸方向の一端側から他端側に向かう順で行うことが好ましい。
【００２３】
なお、上側の柱用ＰＣ部材２２，５２の上端部にも、柱用ＰＣ部材２２，５２の主筋に接続された筒状のスリーブ継手２３，５３が埋設されている。
【００２４】
（２）門形ラーメン構造２の横梁３０及び仕口部４０の施工工程
図３に示すようにクレーン等によって第一ＰＣ部材３１、第二ＰＣ部材３２及び第一ＰＣ部材３１をこれらの順に柱２０の上端面よりも高い位置まで揚重し、図４に示すようにこれらＰＣ部材３１，３２，３１を橋幅方向に近接するように移動させることにより横梁３０及び仕口部４０を一体化して構築するが、その詳細は後述する。
【００２５】
図３に示すように、ＰＣ部材３１は、仕口部３１ａと、仕口部３１ａから橋幅方向に延出した梁部３１ｂと、を有する。仕口部３１ａは完成後の仕口部４０に相当し、梁部３１ｂは完成後の横梁３０の端部に相当する。仕口部３１ａの下面から複数の柱主筋３１ｃが下向きに突出し、仕口部３１ａの橋軸方向に向いた面から縦梁主筋３１ｅが橋軸方向に突出し、梁部３１ｂの端面から複数の横梁主筋３１ｄが橋幅方向に突出している。また、ＰＣ部材３２は完成後の横梁３０の中央部に相当し、ＰＣ部材３２の両端部には、スリーブ継手３２ａが埋設されている。なお、図３に示す例では、一方のＰＣ部材３１の梁部３１ｂと他方のＰＣ部材３１の梁部３１ｂとは長さが等しいが、これに限らず、これらの長さが異なってもよい。
【００２６】
このようなＰＣ部材３１，３２，３１を柱２０の上端面よりも高い位置まで揚重するので、これらＰＣ部材３１，３２，３１を橋幅方向に接続する際に、ＰＣ部材３１の仕口部３１ａの下面から突出した柱主筋３１ｃが柱２０に干渉しない。
【００２７】
以下、第一ＰＣ部材３１，第二ＰＣ部材３２及び第一ＰＣ部材３１から横梁３０及び仕口部４０を構築する工程について、図５〜図９を参照して詳細に説明する。図５、図７及び図９は橋軸方向に向かって見た正面図であり、図６及び図８は矢印Ａの方向に向かって見た柱２０の上部の拡大側面図である。図５、図７及び図９において、２点鎖線で示される作業足場２９は、柱２０の施工の際に柱２０を取り囲むように設置されたものである。なお、以下において、横梁３０の両端を構成する一対の第一ＰＣ部材３１，３１を区別する場合は、第一ＰＣ部材３１Ａ、第一ＰＣ部材３１Ｂと称し、また、一対の柱２０，２０を区別する場合は、第一ＰＣ部材３１Ａ側の柱２０を柱２０Ａと称し、第一ＰＣ部材３１Ｂ側の柱２０を柱２０Ｂと称するものとする。
【００２８】
（２−１）架台９０の設置
図５及び図６に示すように、門形ラーメン構造２を構成する両側の柱２０Ａ，２０Ｂの間隔より短いＨ形鋼からなる架台９０を、柱２０Ａ，２０Ｂの間にそれらの上端面よりも高い位置に設置する。具体的には、両側の柱２０Ａ，２０Ｂの上部に基台９１、駒台９２及び下部架台９３を取り付けた上で、架台９０を両側の柱２０の下部架台９３間に架け渡すようにして下部架台９３上に組み付ける。ここで、形鋼からなる基台９１を柱２０Ａ，２０Ｂの上部の側面（橋幅方向に互いに対向する面）にボルトによって固定し、Ｈ形鋼からなる駒台９２を基台９１の上に２列且つ複数段に積み上げるようにボルトによって固定し、Ｈ形鋼からなる下部架台９３を最上段の駒台９２間に掛け渡すようにして最上段の駒台９２上にボルトによって固定する。
【００２９】
（２−２）ジャッキ９９の設置
図６に示すように、基台９１上に駒台９７を設置した上で、下部架台９３及び架台９０を下から支持するためのジャッキ９９を駒台９７上に設置する。ジャッキ９９は例えば油圧式のジャッキである。
【００３０】
（２−３）ＰＣ部材３１Ａ，３２，３１Ｂの揚重及び仮組
図７及び図８に示すように、一方のＰＣ部材３１Ａをクレーン等によって一方の柱２０Ａの上方に揚重して、ＰＣ部材３１Ａの仕口部３１ａの下端面から突出する主筋３１ｃが柱２０Ａと干渉しないように柱２０Ａの上端面から離間させた状態で、ＰＣ部材３１Ａを架台９０上に上部架台９４を介して仮設置する。この際、仕口部３１ａの下端面から突出した柱主筋３１ｃを上側の柱用ＰＣ部材２２の上端部のスリーブ継手２３（図３参照）の真上に位置合わせするが、この時点では、スリーブ継手２３に挿入せず、柱主筋３１ｃの先端が柱２０Ａの上面から上方に離間した状態とする。これは、後述のように他方のＰＣ部材３１ＢをＰＣ部材３２に組み付けるべく移動させる際に、当該他方のＰＣ部材３１Ｂの柱主筋３１ｃが他方の柱２０Ｂに干渉するのを防止するためである。
【００３１】
次に、柱２０Ａの上部の、他方の柱２０Ｂとは反対側の側面に、ブラケット９６を柱２０Ａの上端面よりも上方へ延出させるように取り付けて、そのブラケット９６をＰＣ部材３１Ａの仕口部３１ａの側面にも取り付けて、ブラケット９６によりＰＣ部材３１Ａを柱２０Ａに仮固定する。なお、上述のように架台９０の上面に上部架台９４を設置して、ＰＣ部材３１Ａを架台９０上に上部架台９４を介して仮設置したが、このように仮設置したＰＣ部材３１Ａの仕口部３１ａから突出する柱主筋３１ｃの先端が柱２０の上端面から離間した状態であり、ＰＣ部材３１Ａの橋幅方向の位置決めがブラケット９６によってなされる。
【００３２】
次に、ＰＣ部材３２を架台９０上に揚重して、ＰＣ部材３２の端面をＰＣ部材３１Ａの梁部３１ｂの端面に対向させる。そして、ＰＣ部材３２を橋幅方向にＰＣ部材３１Ａに近づけて、梁部３１ｂから突出した横梁主筋３１ｄをＰＣ部材３２の端部のスリーブ継手３２ａに挿入することにより、ＰＣ部材３２をＰＣ部材３１Ａに仮組みする。
【００３３】
次に、他方のＰＣ部材３１Ｂを他方の柱２０Ｂの上方に揚重して、そのＰＣ部材３１Ｂの梁部３１ｂの端面をＰＣ部材３２の端面に対向させる。そして、そのＰＣ部材３１Ｂを橋幅方向にＰＣ部材３２に近づけて、梁部３１ｂから突出した横梁主筋３１ｄをＰＣ部材３２の端部のスリーブ継手３２ａに挿入する。これによりＰＣ部材３１ＢをＰＣ部材３２に仮組みする。
【００３４】
そして、図９に示すように、ＰＣ部材３１Ｂの仕口部３１ａから突出する柱主筋３１ｃの先端が柱２０の上端面から離間した状態で、ＰＣ部材３１Ｂを架台９０上に上部架台９４を介して仮設置する。この際、ＰＣ部材３１Ｂの仕口部３１ａの下端面から突出した柱主筋３１ｃを柱２０Ｂの柱用ＰＣ部材２２の上端部のスリーブ継手２３（図４参照）の真上に位置合わせする。
【００３５】
以上のように、架台９０を柱２０の上端面よりも高い位置において柱２０間に掛け渡すように駒台９２及び下部架台９３上に設置したので、ＰＣ部材３１Ａ，３２，３１Ｂをクレーンによって順次揚重した上で、これらＰＣ部材３１Ａ，３２，３１Ｂを架台９０上に仮設置することができる。つまり、ＰＣ部材３１Ａ，３２，３１Ｂを個別にクレーンによって揚重するので、クレーンの最大揚重能力が低くても済む。
【００３６】
その後、柱２０Ｂの上部の、他方の柱２０Ａとは反対側の側面に、ブラケット９６を柱２０Ｂの上端面よりも上方へ延出させるように取り付ける。次の下降工程をすぐに行えない場合には、このブラケット９６をＰＣ部材３１Ｂの仕口部３１ａの側面にも取り付けて、ＰＣ部材３１Ｂを柱２０Ｂに仮固定する。なお、このブラケット９６は、ＰＣ部材３１Ｂの橋幅方向の位置決めに用いられる。
【００３７】
（３）ＰＣ部材３１Ａ，３２，３１Ｂの接続体の下降工程
以上のように、柱２０の上端面よりも高い位置でＰＣ部材３１Ａ，３２，３１Ｂを接続したら、図１０に示すようにこれらＰＣ部材３１Ａ，３２，３１Ｂの接続体を下降させることにより、両側の仕口部３１ａの下面から突出する柱主筋３１ｃを両側の柱用ＰＣ部材２２の上端部のスリーブ継手２３に挿入する。
以下、ＰＣ部材３１Ａ，３２，３１Ｂの下降工程について、図１１〜図１９を参照して詳細に説明する。図１２、図１４、図１６及び図１８は橋軸方向に向かって見た正面図であり、図１１、図１３、図１５、図１７及び図１９は矢印Ａの方向に向かって見て示した柱２０の上部の拡大側面図である。
【００３８】
（３−１）ジャッキ９９による支持
図１１に示すように、ジャッキ９９に油圧機器９８を接続する。そして、油圧機器９８によってジャッキ９９に油圧を供給することにより、ジャッキ９９を下部架台９３の下面に当接するまで伸長させて、ジャッキ９９により下部架台９３、架台９０、上部架台９４を介してＰＣ部材３１Ａ，３２，３１Ｂを支持する。すなわち、ＰＣ部材３１Ａ，３２，３１Ｂの荷重を駒台９２からジャッキ９９に受け替える。
【００３９】
（３−２）駒台９２の取り外し
この状態で、図１２及び図１３に示すように、一段分の駒台９２を取り外す。更に、ブラケット９６をＰＣ部材３１Ａの仕口部３１ａから取り外す。また、ＰＣ部材３１Ｂをブラケット９６により仮止めした場合も、そのブラケット９６をＰＣ部材３１Ｂから外す。
【００４０】
（３−３）ジャッキ９９による下降
次に、図１４及び図１５に示すように、ジャッキ９９によって、取り外した駒台９２の高さ分だけ、下部架台９３、架台９０、上部架台９４及びＰＣ部材３１Ａ，３２，３１Ｂを下降させる。この状態では、ＰＣ部材３１Ａ，３２，３１Ｂの荷重は、再び、残った駒台９２によって支持される。また、ＰＣ部材３１Ａ，３２，３１Ｂの下降によって、仕口部３１ａの下側にある柱主筋３１ｃの先端部が柱用ＰＣ部材２２の上端部のスリーブ継手２３に挿入される。
【００４１】
（３−４）ジャッキ９９による再支持
図１６及び図１７に示すように、ジャッキ９９の下の駒台９７を取り外して、ジャッキ９９を基台９１上に直接設置する。そして、油圧機器９８によってジャッキ９９を下部架台９３にまで伸長させて、ジャッキ９９により下部架台９３、架台９０、上部架台９４を介してＰＣ部材３１Ａ，３２，３１Ｂを支持する。すなわち、ＰＣ部材３１Ａ，３２，３１Ｂの荷重を再びジャッキ９９に受け替える。
【００４２】
（３−５）駒台９２の取り外し
次に、図１６及び図１７に示すように、ジャッキ９９によりＰＣ部材３１Ａ，３２，３１Ｂの荷重を支持した状態で、一段分の駒台９２を取り外す。
【００４３】
（３−６）ジャッキ９９による再下降
次に、図１８及び図１９に示すように、ジャッキ９９によって、取り外した駒台９２の高さ分だけ、下部架台９３、架台９０、上部架台９４及びＰＣ部材３１Ａ，３２，３１Ｂを下降させる。この状態では、ＰＣ部材３１Ａ，３２，３１Ｂの荷重は、再び、残った駒台９２によって支持される。また、ＰＣ部材３１Ａ，３２，３１Ｂの下降によって、ＰＣ部材３１Ａ，３１Ｂの仕口部３１ａの下面から突出する柱主筋３１ｃのほぼ全体が柱２０Ａ，２０Ｂの上端部のスリーブ継手２３に挿入される。
なお、ＰＣ部材３１Ａ，３２，３１Ｂの下降後も、ＰＣ部材３１Ａ，３１Ｂの仕口部３１ａの下端面と柱２０Ａ，２０Ｂの上端面との間には、グラウトを注入できる程度の隙間が空いている。
【００４４】
（３−７）仮固定
上記のように柱２０Ａに取り付けておいたブラケット９６を、ＰＣ部材３１Ａの仕口部３１ａの側面に固定する。これにより、ＰＣ部材３１Ａの仕口部３１ａの下端面と柱２０Ａの上端面との間にグラウトを注入できる程度の隙間を空けた状態で、ブラケット９６によってＰＣ部材３１Ａと柱２０Ａを仮固定する。同様に、反対側のブラケット９６によってＰＣ部材３１Ｂと柱２０Ｂを仮固定する。
【００４５】
以上のように、駒台９２を一段ずつ取り外しながらジャッキ９９によりＰＣ部材３１Ａ，３２，３１Ｂの接続体及び架台９０を下降させるので、ＰＣ部材３１Ａ，３２，３１Ｂの接続体の姿勢が安定し、柱主筋３１ｃをスリーブ継手２３に挿入しやすい。特に、ジャッキ９９のストロークを短くすることができるので、ジャッキ９９によってＰＣ部材３１Ａ，３２，３１Ｂの接続体及び架台９０を安定して支持することができる。
【００４６】
（４）グラウトの充填工程
次に、図２０に示すように、上側の柱用ＰＣ部材２２の上端部のスリーブ継手２３にグラウトを充填するとともに（モルタル充填工法）、仕口部３１ａの下端面と柱用ＰＣ部材２２の上端面との間の隙間にグラウト３８を充填する。柱用ＰＣ部材２２の上端部のスリーブ継手２３に充填されたグラウトが硬化することによって、柱主筋３１ｃが柱用ＰＣ部材２１の主筋に連結される。
また、ＰＣ部材３２の端部のスリーブ継手３２ａにグラウトを充填するとともに（モルタル充填工法）、ＰＣ部材３２の端面と梁部３１ｂの端面との間にグラウトを充填する。ＰＣ部材３２の端部のスリーブ継手３２ａに充填されたグラウトが硬化することによって、横梁主筋３１ｄがＰＣ部材３２の主筋に連結される。
グラウトが硬化したら、ブラケット９６、基台９１、駒台９２、下部架台９３、架台９０、上部架台９４及びジャッキ９９を撤去する。
以上により、門形ラーメン構造２が完成する。
なお、（４）の工程は、後述の「（５）縦梁８の設置工程」の後に行ってもよく、例えば後述の「（６）グラウトの充填工程」と並行して行ってもよい。
【００４７】
（５）縦梁８の設置工程
以上のように門形ラーメン構造２を施工したら、図２１に示すように縦梁用ＰＣ部材８０をクレーン等によって揚重して、縦梁用ＰＣ部材８０の長手方向を橋軸方向にして縦梁用ＰＣ部材８０の端面を仕口部３１ａの側面に向ける。ここで、この縦梁用ＰＣ部材８０は完成後の縦梁８に相当する。縦梁用ＰＣ部材８０の両端面には、スリーブ継手８１が埋設されている。なお、図２１では、一方の端部に埋設されたスリーブ継手８１が図示されているが、反対側の端部にもスリーブ継手８１が埋設されている。
【００４８】
その後、図２２に示すように、縦梁用ＰＣ部材８０を橋軸方向に仕口部３１ａに向けて移動させて、縦梁用ＰＣ部材８０のスリーブ継手８１に仕口部３１ａから突出する縦梁主筋３１ｅを挿入する。そして、縦梁用ＰＣ部材８０の端面と仕口部３１ａの側面との間に隙間を空けた状態で、縦梁用ＰＣ部材８０を支保工等によって支持する。
【００４９】
（６）グラウトの充填工程
次に、スリーブ継手８１にグラウトを充填するとともに、縦梁用ＰＣ部材８０と仕口部３１ａとの間の隙間にもグラウトを充填する。これらの充填されたグラウトが硬化することによって、仕口部３１ａに縦梁用ＰＣ部材８０が接合される。
【００５０】
（７）門形ラーメン構造５の横梁６０及び仕口部７０の施工工程
次に、図２３に示すようにクレーン等によって２体のＰＣ部材６１，６１を順に柱２０の上方に揚重し、図２４に示すようにこれらＰＣ部材６１，６１を橋幅方向に近接するように移動させることにより接続する。これにより、横梁６０及び仕口部７０を一体化して構築するが、その詳細は後述する。なお、以下において、一対のＰＣ部材６１，６１を区別する場合は、一方をＰＣ部材６１Ａと、他方をＰＣ部材６１Ｂと称し、また、一対の柱５０，５０を区別する場合は、ＰＣ部材６１Ａ側の柱５０を柱５０Ａと称し、ＰＣ部材６１Ｂ側の柱５０を柱５０Ｂと称するものとする。
【００５１】
図２３に示すように、ＰＣ部材６１Ａは、仕口部６１ａと、仕口部６１ａから橋幅方向に延出した梁部６１ｂと、を有し、ＰＣ部材６１Ｂも同様に仕口部６１ａ及び梁部６１ｂを有する。ＰＣ部材６１Ａ，６１Ｂの何れにおいても、仕口部６１ａは完成後の仕口部７０に相当し、梁部６１ｂは完成後の横梁６０の半体に相当する。また、ＰＣ部材６１Ａ，６１Ｂの何れにおいても、仕口部６１ａの下面から複数の柱主筋６１ｃが下向きに突出し、仕口部６１ａには貫通孔６１ｆが橋軸方向に貫通するように形成されている。一方のＰＣ部材６１Ｂの梁部６１ｂの端面から複数の横梁主筋６１ｄが橋幅方向に突出し、他方のＰＣ部材６１Ａの梁部６１ｂの端部には、スリーブ継手６１ｅが埋設されている。
【００５２】
また、門形ラーメン構造２を施工する場合と同様に（上記（２）参照）、架台９０、基台９１、駒台９２、下部架台９３、上部架台９４、駒台９７及びジャッキ９９を柱２０の上部に設置して、ＰＣ部材３１、ＰＣ部材３２及びＰＣ部材３１を組み付ける場合と同様にして（図５〜図９参照）、架台９０、基台９１、駒台９２、下部架台９３、上部架台９４、駒台９７及びジャッキ９９を柱５０の上部に設置して、ＰＣ部材６１Ａ，６１Ｂを柱５０Ａ，５０Ｂの上方で組み付けて、ＰＣ部材６１Ａ，６１Ｂを架台９０上に仮設置する。具体的には、まずＰＣ部材６１Ａをクレーンによって柱５０Ａの上方に揚重して、ＰＣ部材６１Ａの仕口部６１ａの下面から突出する柱主筋６１ｃを柱５０Ａの上端部のスリーブ継手５３の真上に位置合わせし、ＰＣ部材６１Ａを架台９０上に上部架台９４を介して仮設置する。次に、ＰＣ部材６１Ｂをクレーンによって柱５０Ｂの上方に揚重して、ＰＣ部材６１Ｂの梁部６１ｂの端面をＰＣ部材６１Ａの梁部６１ｂの端面に対向させた状態で、ＰＣ部材６１ＢをＰＣ部材６１Ａに近づけて、横梁主筋６１ｄをスリーブ継手６１ｅに挿入する。そして、ＰＣ部材６１Ｂの仕口部６１ａの下面から突出する柱主筋６１ｃを柱５０Ｂのスリーブ継手５３の真上に位置合わせし、ＰＣ部材６１Ａを架台９０上に上部架台９４を介して仮設置する。
【００５３】
（８）門形ラーメン構造５の横梁６０及び仕口部７０の下降工程
次に、上述の「（３）ＰＣ部材３１Ａ，３２，３１Ｂの下降工程」のようなＰＣ部材３１Ａ，３２，３１Ｂの下降と同様にして、図２５に示すようにＰＣ部材６１Ａ，６１Ｂをジャッキによって下降させることにより、ＰＣ部材６１Ａ，６１Ｂの仕口部６１ａの下端面から突出した柱主筋６１ｃを柱５０Ａ，５０Ｂの上端部のスリーブ継手５３に挿入する。ここで、縦梁用ＰＣ部材８０のスリーブ継手（図２１に図示のスリーブ継手８１の反対側のスリーブ継手）に仕口部６１ａの貫通孔６１ｆ（図２３参照）を対向させるよう、貫通孔６１ｆの位置合わせをする。
【００５４】
（９）グラウトの充填工程
次に、上述の「（４）グラウトの充填工程」と同様にして、上側の柱用ＰＣ部材５２の上端面のスリーブ継手５３にグラウトを充填するとともに、仕口部６１ａの下端面と柱用ＰＣ部材６２の上端面との間の隙間にグラウトを充填する。以上により門形ラーメン構造２の隣りの門形ラーメン構造５が完成する。なお、（９）の工程は、例えば後述の「（１１）グラウトの充填工程」と並行して行ってもよい。
【００５５】
（１０）縦梁８の設置工程
以上のように門形ラーメン構造５を施工したら、図２６に示すように縦梁用ＰＣ部材８３をクレーン等によって揚重して、縦梁用ＰＣ部材８３の長手方向を橋軸方向にして縦梁用ＰＣ部材８３の端面を仕口部６１ａに向ける。ここで、この縦梁用ＰＣ部材８３は完成後の縦梁８に相当する。また、縦梁用ＰＣ部材８３の一方の端面（仕口部６１ａに向けられた端面）から複数の縦梁主筋８４が突出しており、他方の端部には複数のスリーブ継手（図示略）が設けられている。
【００５６】
その後、図２７に示すように、縦梁用ＰＣ部材８３を橋軸方向に仕口部６１ａに近接させる。この際、縦梁主筋８４を仕口部６１ａの貫通孔６１ｆ（図２３参照）に貫通させて、更に縦梁用ＰＣ部材８０のスリーブ継手（図２１に図示のスリーブ継手８１の反対側のスリーブ継手）に挿入する。
そして、縦梁用ＰＣ部材８３の端面と仕口部６１ａとの間に隙間を空けた状態で、縦梁用ＰＣ部材８３を支保工等によって支持する。
【００５７】
（１１）グラウトの充填工程
次に、縦梁用ＰＣ部材８０のスリーブ継手（図２１に図示のスリーブ継手８１の反対側のスリーブ継手）及び仕口部６１ａの貫通孔６１ｆ（図２３参照）にグラウトを充填するとともに、縦梁用ＰＣ部材８３の端面と仕口部６１ａとの間の隙間にもグラウトを充填する。
【００５８】
（１２）
上記（７）〜（１１）の工程と同様にして、門形ラーメン構造５の横梁６０及び仕口部７０の構築と縦梁８の設置を交互に実施する。
以上によりラーメン構造１が完成する。その後、縦梁８、横梁３０及び横梁６０によって囲われた領域をスラブによって塞ぐようにして、スラブを縦梁８、横梁３０、横梁６０、仕口部４０及び仕口部７０上に構築する。
【００５９】
３．  効果
（ａ）  図３に示すようにＰＣ部材３１Ａ，３２，３１Ｂを柱２０Ａ，２０Ｂの上端面よりも高い位置まで揚重するので、ＰＣ部材３１Ａ，３１Ｂの仕口部３１ａの下面から柱主筋３１ｃが突出する状態でも、柱主筋３１ｃが柱２０Ａ，２０Ｂに干渉することなく、図４に示すようにＰＣ部材３１Ａ，３２，３１Ｂを橋幅方向に接続することができる。その後、図１０に示すように、ＰＣ部材３１Ａ，３２，３１Ｂの接続体を下降させて、ＰＣ部材３１Ａ，３１Ｂの柱主筋３１ｃを柱２０Ａ，２０Ｂの上端面のスリーブ継手２３に挿入するので、鉄筋を仕口部３１ａに上方から下方へ貫通させることなく、ＰＣ部材３１Ａ，３１Ｂの仕口部３１ａと柱２０Ａ，２０Ｂとを接合することができる。門形ラーメン構造５を構築する際にも、ＰＣ部材６１Ａ，６１Ｂを柱５０Ａ，５０Ｂの上端面よりも高い位置まで揚重するので、同様の効果を奏する。
【００６０】
（ｂ）  架台９０を柱２０間に掛け渡すように駒台９２及び下部架台９３上に設置し、架台９０でＰＣ部材３１Ａ，３２，３１Ｂを支持しながら、ＰＣ部材３１Ａ，３２，３１Ｂを橋幅方向に接続するので、クレーンの最大揚重能力が低くてすむ。門形ラーメン構造５を構築する際にも、架台９０、基台９１、駒台９２、下部架台９３及び上部架台９４を柱５０の上部に設置するので、同様の効果を奏する。
【００６１】
（ｃ）  駒台９２を一段ずつ取り外しながらジャッキ９９によりＰＣ部材３１Ａ，３２，３１Ｂの接続体及び架台９０を下降させるので、下降の際のＰＣ部材３１Ａ，３２，３１Ｂの接続体の姿勢が安定して、柱主筋３１ｃをスリーブ継手２３に挿入しやすい。門形ラーメン構造５を構築する際にも、架台９０、基台９１、駒台９２、下部架台９３、上部架台９４、駒台９７及びジャッキ９９を柱５０Ａ，５０Ｂの上部に設置するので、同様の効果を奏する。
【００６２】
４．  変形例
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以下に、以上の実施形態からの変更点について説明する。以下に説明する変更点は、可能な限り組み合わせて適用してもよい。
【００６３】
（ａ）  上記実施形態では、複数の柱主筋３１ｃが仕口部３１ａの下面から突出し、複数のスリーブ継手２３が柱用ＰＣ部材２２の上端部に設けられていたが、これに限らず、図２８に示すように、複数の柱主筋２４が柱用ＰＣ部材２２の上端面から突出し、複数のスリーブ継手３１ｆが仕口部３１ａの下端部に埋設されていてもよい。この場合、上記（３）の工程において、ＰＣ部材３１Ａ，３２，３１Ｂの接合体を下降させると、柱主筋２４がスリーブ継手３１ｆに挿入される。
門形ラーメン構造５についても同様に、仕口部６１ａの下面から複数の柱主筋が突出し、柱用ＰＣ部材５２の上端部にスリーブ継手が埋設されていてもよい。
【００６４】
（ｂ）  上記実施形態では、門形ラーメン構造２は両側の２本の柱２０Ａ，２０Ｂを備えていたが、これに限らず、図２９に示すように、例えば、両側の柱２０Ａ，２０Ｂの間隔が大きい場合には、これら柱２０Ａ，２０Ｂの間に１本又は複数本の柱を備えている（つまり、２スパン以上の門形ラーメン構造である）こととしてもよい（図２９には中央部に一本の柱２５を備える２スパンの場合を示す。）。ラーメン構造５についても同様である。
【００６５】
この場合、図２９に示すように、一方の横梁３０が一方の柱２０Ａと柱２５の上端間に架設され、他方の横梁３０が他方の柱２０Ｂと柱２５の上端間に架設されている。
【００６６】
図２９に示すラーメン構造を構築する場合には、まず、図３０に示すように両側の柱２０Ａ，２０Ｂを上述の実施形態と同様に施工するとともに、それらの間に柱２５を施工する（図３０参照）。柱２５の施工も、下側の柱用ＰＣ部材２６と柱用ＰＣ部材２７とを柱２０と同様にして接合することにより。なお、柱用ＰＣ部材２７についても柱用ＰＣ部材２２と同様に、柱用ＰＣ部材２７の上端部にスリーブ継手２８が埋設されている。
【００６７】
次に、上記（２）の工程と同様にして、クレーン等によってＰＣ部材３１Ａ、ＰＣ部材３２、ＰＣ部材３３、ＰＣ部材３２及びＰＣ部材３１Ｂをこれらの順に柱２０Ａ，２５，２０Ｂの上方に揚重し、図３０に示すようにこれらＰＣ部材３１Ａ、ＰＣ部材３２、ＰＣ部材３３、ＰＣ部材３２及びＰＣ部材３１Ｂを橋幅方向に近接して接続する。これにより、柱２０Ａ，２５，２０Ｂの上方において、両側の仕口部４０、中央の仕口部４５及び横梁３０を組み立てる。ここで、ＰＣ部材３１Ａ，３２，３２，３１Ｂは上述の実施形態と同様のものである。また、ＰＣ部材３３は、仕口部３３ａと、仕口部３３ａから橋幅方向の両側に延出した一対の梁部３３ｂと、を有する。仕口部３３ａは完成後の仕口部４５に相当し、梁部３３ｂは完成後の横梁３０の端部に相当する。仕口部３３ａの下端面から複数の柱主筋３３ｃが突出している。また、梁部３３ｂの端面から複数の横梁主筋３３ｄが橋幅方向に突出しており、ＰＣ部材３２とＰＣ部材３３を組み付ける際に、横梁主筋３３ｄをＰＣ部材３２の端部のスリーブ継手３２ａに挿入する。
【００６８】
次に、上記（３）の工程と同様にして、組まれたＰＣ部材３１Ａ、ＰＣ部材３２、ＰＣ部材３３、ＰＣ部材３２、ＰＣ部材３１Ｂをジャッキによって下降させることにより、仕口部３１ａ，３３ａ，３１の下側にある柱主筋３１ｃ，３３ｃ，３１ｃを柱用ＰＣ部材２２，２７，２２の上端部のスリーブ継手２３，２８，２３に挿入する。
【００６９】
次に、上記（４）の工程と同様にして、グラウトによりＰＣ部材３１Ａ，３１Ｂの仕口部３１ａと柱用ＰＣ部材２２を接合するとともに、グラウトによりＰＣ部材３３の仕口部３３ａと柱用ＰＣ部材２７を接合する。
【００７０】
（ｃ）  上記実施形態では、両側のＰＣ部材３１Ａ，３１Ｂが仕口部３１ａと梁部３１ｂを一体成形したものであった（図９、図３４（ａ）参照）。それに対して、図３１及び図３４（ｃ）に示すようにＰＣ部材３１Ａ，３１Ｂが梁部を有さない構成としてもよい。この場合、上記実施形態における横梁主筋３１ｄに相当する横梁主筋３１ｇが仕口部３１ａから橋幅方向に突出している。そして、上記（２）の工程において、ＰＣ部材３２を両側のＰＣ部材３１Ａ，３１Ｂの仕口部３１ａの間に挟むようにＰＣ部材３１Ａ，３２，３１Ｂを橋幅方向に接続するが、この際、横梁主筋３１ｇをＰＣ部材３２の端部のスリーブ継手３２ａに挿入する。なお、ＰＣ部材３２の両端面から突出した横梁主筋を、仕口部３１ａの側部に設けられたスリーブ継手に挿入するものとしてもよい。
【００７１】
（ｄ）  上記実施形態では、両側のＰＣ部材３１Ａ，３１Ｂが仕口部３１ａと梁部３１ｂを一体成形したものであり、ＰＣ部材３２をＰＣ部材３１Ａ，３１Ｂの間に挟み込んだ（図９、図３４（ａ）参照）。それに対して、図３２及び図３４（ｄ）に示すように、一方のＰＣ部材３１Ａがスパン全長に亘る梁部３１ｂを有し、他方のＰＣ部材３１Ｂが梁部を有しない仕口部３１ａのみの構成とし、ＰＣ部材３２を設けなくてもよい。この場合、横梁主筋３１ｄに相当する横梁主筋３１ｈがＰＣ部材３１Ｂの仕口部３１ａから橋幅方向に突出しており、スリーブ継手３２ａに相当するスリーブ継手３１ｊがＰＣ部材３１Ａの梁部３１ｂの端部に埋設されている。そして、上記（２）の工程において、ＰＣ部材３１ＢをＰＣ部材３１Ａに近接させて、ＰＣ部材３１Ａ，３１Ｂを橋幅方向に接続するが、この際、横梁主筋３１ｈをＰＣ部材３１Ａの梁部３１ｂの端部のスリーブ継手３１ｊに挿入する。なお、ＰＣ部材３１Ａの梁部３１ｂの端面から突出した横梁主筋を、ＰＣ部材３１Ｂの仕口部３１ａの側部に設けられたスリーブ継手に挿入するものとしてもよい。
【００７２】
（ｅ）  図３３及び図３４（ｅ）に示すように、一方のＰＣ部材３１Ａが上記実施形態のように仕口部３１ａと梁部３１ｂを一体成形したものであり、他方のＰＣ部材３１Ｂが上記（ｃ）の変形例のように梁部を有しない仕口部３１ａのみの構成としてもよい。
【００７３】
（ｆ）  上記実施形態及び変形例（ｃ）〜（ｅ）では、ＰＣ部材３１Ａ、ＰＣ部材３２、ＰＣ部材３１Ｂ、ＰＣ部材６１Ａ及びＰＣ部材６１Ｂが図３４（ａ）〜（ｅ）のような形態であった。図３４（ｆ）〜（ｈ）に示すように、ＰＣ部材３２に相当する中間梁部材３９が複数のＰＣ部材３９ａの接合体であってもよい。つまり、上記（２）の工程において、ＰＣ部材３１Ａを揚重した後、これらＰＣ部材３９ａを順次揚重して橋幅方向に接続し、その後更にＰＣ部材３１Ｂを揚重して、そのＰＣ部材３１Ｂを端のＰＣ部材３９ａに接続することにより横梁３０を構築してもよい。ここで、図３４（ｆ）に示す中間梁部材３９は図３４（ａ）に示すＰＣ部材３２に相当するものであり、図３４（ｇ）に示す中間梁部材３９は図３４（ｃ）に示すＰＣ部材３２に相当するものであり、図３４（ｈ）に示す中間梁部材３９は図３４（ｅ）に示すＰＣ部材３２に相当するものである。
【００７４】
（ｇ）  上記実施形態では、門形ラーメン構造２，５を基礎上に構築したが、これに限らず、構築済みの門形ラーメン構造の上に構築してもよい。この場合、構築済みの下側の門形ラーメン構造は、上記実施形態で示した工法で施工されたものであってもよい。すなわち、本発明は、２層以上の門形ラーメン構造を構築する場合にも適用可能である。
【００７５】
（ｈ）  上記実施形態では、ラーメン構造１が鉄道高架橋用であった。それに対して、ラーメン構造１が道路その他の高架橋用であってもよい。
【符号の説明】
【００７６】
１…ラーメン構造，  ２…門形ラーメン構造，  ５…門形ラーメン構造，  ２０…柱，  ２３…スリーブ継手，  ３０…横梁，  ３１…ＰＣ部材（第一ＰＣ部材），  ３２…ＰＣ部材（第二ＰＣ部材）、  ３１ａ…仕口部，  ３１ｂ…梁部，  ３１ｃ…柱主筋，  ４０…仕口部，  ５０…柱，  ５３…スリーブ継手，  ６０…横梁，  ６１…ＰＣ部材，  ６１ａ…仕口部，  ６１ｂ…梁部，  ６１ｃ…柱主筋，  ７０…仕口部，  ９０…架台，  ９１…基台，  ９２…駒台，  ９９…ジャッキ
【図１】
2018021394.tif 000003
【図２】
2018021394.tif 000004
【図３】
2018021394.tif 000005
【図４】
2018021394.tif 000006
【図５】
2018021394.tif 000007
【図６】
2018021394.tif 000008
【図７】
2018021394.tif 000009
【図８】
2018021394.tif 000010
【図９】
2018021394.tif 000011
【図１０】
2018021394.tif 000012
【図１１】
2018021394.tif 000013
【図１２】
2018021394.tif 000014
【図１３】
2018021394.tif 000015
【図１４】
2018021394.tif 000016
【図１５】
2018021394.tif 000017
【図１６】
2018021394.tif 000018
【図１７】
2018021394.tif 000019
【図１８】
2018021394.tif 000020
【図１９】
2018021394.tif 000021
【図２０】
2018021394.tif 000022
【図２１】
2018021394.tif 000023
【図２２】
2018021394.tif 000024
【図２３】
2018021394.tif 000025
【図２４】
2018021394.tif 000026
【図２５】
2018021394.tif 000027
【図２６】
2018021394.tif 000028
【図２７】
2018021394.tif 000029
【図２８】
2018021394.tif 000030
【図２９】
2018021394.tif 000031
【図３０】
2018021394.tif 000032
【図３１】
2018021394.tif 000033
【図３２】
2018021394.tif 000034
【図３３】
2018021394.tif 000035
【図３４】
2018021394.tif 000036